(57)【要約】【課題】記録媒体にディスクを用いた記録再生装置において、ディスクを記録再生装置に着脱するとき、不完全なディスク装着によるディスクの傷つきやディスクの読み取り不良の発生、あるいはディスク着脱のしにくさなどの問題があった。この問題を解決するために、記録再生装置にディスクローディング装置を設けると、記録再生装置そのものが大型化するという問題があった。【解決手段】ディスク５に対する記録再生が可能な位置において、ホルダーフレームの一フレーム側面１３が、ディスク記録面と平行面上で、ドライブ１と同一平面上に位置することで、ディスク着脱の簡便性と確実性を実現するとともに、ディスクローディング装置を備えた記録再生装置の薄型化を実現する。【選択図】図１
2008192226.tif 000002
【特許請求の範囲】
【請求項１】
ディスクの外周面と当接する底面とディスクの記録面に対する側面とで構成され、ディスクを保持するディスクホルダと、
前記ディスクホルダの側面と密着するフレーム側面により、前記ディスクホルダを回動可能に支持するホルダーフレームと、
光学ピックアップと前記光学ピックアップを駆動するモータと前記ディスクを回転させるスピンドルモータとを備えたドライブと、
前記ホルダーフレームを、前記ディスクホルダに保持されたディスクの記録再生位置に回動するホルダーフレーム回動手段とを備え、
前記記録再生位置において、前記ホルダーフレームの一フレーム側面が、ディスク記録面と平行面上で、前記ドライブと同一平面上に位置することを特徴とするディスクローディング装置。
【請求項２】
前記記録再生位置において、前記ホルダーフレームに支持される前記ディスクホルダの一側面が、ディスク記録面と平行面上で、前記ドライブと同一平面上に位置することを特徴とする請求項１に記載のディスクローディング装置。
【発明の詳細な説明】
【技術分野】
【０００１】
本発明は、ＤＶＤビデオカメラなどの記録媒体にディスクを用いた記録再生装置のディスクローディングに関する搬送技術である。
【背景技術】
【０００２】
近年、記録媒体にディスクを用いた記録再生装置が増えている。
【０００３】
また、記録再生装置に対してディスクを着脱するとき、不完全なディスクの装着によるディスクの傷つきやディスクの読み取り不良の発生、あるいはディスクの着脱しにくさなどの問題があった。
【０００４】
記録再生装置にディスクローディング装置を設けることで、前記ディスクの傷つきやディスクの読み取り不良を防止するとともに、ディスク着脱の簡便性や確実性を図ることができ、このようなディスクローディング装置に関する発明として、特許文献１に挙げた技術が存在する。
【特許文献１】特開平１１−２５９９４３号公報
【発明の開示】
【発明が解決しようとする課題】
【０００５】
しかしながら従来の技術では、記録再生装置にディスクローディング装置を設けることで、記録再生装置が大型化するという課題があった。
【０００６】
また、ディスクローディング装置を設けることで記録媒体にディスクを用いた記録再生装置の特徴のひとつである記録再生装置の薄型化を阻害するという課題があった。
【課題を解決するための手段】
【０００７】
上記課題を解決する為に本件の発明は、ディスクの外周面と当接する底面とディスクの記録面に対する側面とで構成され、ディスクを保持するディスクホルダと、前記ディスクホルダの側面と密着するフレーム側面により、前記ディスクホルダを回動可能に支持するホルダーフレームと、光学ピックアップと前記光学ピックアップを駆動するモータと前記ディスクを回転させるスピンドルモータとを備えたドライブと、前記ホルダーフレームを、前記ディスクホルダに保持されたディスクの記録再生位置に回動するホルダーフレーム回動手段とを備え、前記記録再生位置において、前記ホルダーフレームの一フレーム側面が、ディスク記録面と平行面上で、前記ドライブと同一平面上に位置することを特徴とするディスクローディング装置である。
【発明の効果】
【０００８】
本発明のディスクローディング装置は、ディスクの傷つきやディスクの読み取り不良を防止し、ディスク着脱の簡便性や確実性を実現するとともに、記録再生装置の薄型化を実現するという効果がある。
【発明を実施するための最良の形態】
【０００９】
以下に、本発明の実施の形態について図面を用いて説明する。
【００１０】
図２は、ユーザーによる本発明装置へのディスク装着前の形態を側面から見た断面図であり、図３は、ユーザーによる本発明装置へのディスク装着前の形態の正面図であり、図２の矢視方向２１の方向から見た図である。
【００１１】
図２および図３において、５の記録再生媒体であるディスクを装着する前の形態を示しており、ディスク５の外周面と、７のディスクホルダの底面は、まだ当接していない。
【００１２】
図２および図３に示すディスク５の位置から、ディスク５の外周面がディスクホルダ７の底面に当接する位置までディスク５をユーザーが挿入し、別途設けたトリガによって、ディスクホルダ７とディスクホルダ７に保持されたディスク５が、ディスクホルダ７の回動中心を中心に回動し、ディスクローディングを開始する。
【００１３】
図４は、本発明装置の記録再生位置へのディスク装着前で、ユーザーによる本発明装置へのディスク装着直後の形態を側面から見た断面図であり、図５は、本発明装置の記録再生位置へのディスク装着前で、ユーザーによる本発明装置へのディスク装着直後の形態の正面図であり、図４の矢視方向２１の方向から見た図である。
【００１４】
図４および図５において、１はドライブ、２は光学ピックアップ、３はディスク５を回転駆動するためのスピンドルモータ、４は光学ピックアップ２をディスク５の半径方向に駆動するための光学ピックアップ駆動モータであり、ドライブ１は、光学ピックアップ２とスピンドルモータ３と光学ピックアップ駆動モータ４とを備えている。
【００１５】
図４および図５において、ディスクホルダ７は、ディスク５の外周面が当接する底面と、８に示すディスクホルダ記録再生面に近接する第１の側面と、９に示すディスクホルダ記録再生面と反対面に近接する第２の側面とで構成されたコの字断面形状をしており、ディスク５は、ディスクホルダ７により保持される。
【００１６】
図５において、ディスクホルダ７は、１０に示すディスクホルダ回動中心を中心として、１１に示すディスクホルダ回動方向に回動する。
【００１７】
図４および図５において、１２はホルダーフレームであり、１３のホルダーフレーム記録再生側面と１４のホルダーフレーム記録再生反対側面が、１５、１６および１７に示す３箇所のホルダーフレーム結合部で結合されたコの字断面形状をしており、ディスクホルダ７をホルダーフレーム記録再生側面１３とホルダーフレーム記録再生反対側面１４とで挟み込むことにより、ディスクホルダ７を保持している。
【００１８】
また、図５において、ディスクホルダ回動中心１０は、ホルダーフレーム記録再生反対側面１４に構成され、ディスクホルダ７は、ホルダーフレーム記録再生側面１３とホルダーフレーム記録再生反対側面１４で挟み込まれた空間で、ディスクホルダ回動中心１０を中心として、１１のディスクホルダ回動方向に回動することができる。
【００１９】
また、図４において、１８はホルダーフレーム回動中心であり、ホルダーフレーム１２は、ホルダーフレーム回動中心１８を中心として、１９のホルダーフレーム回動方向に、２０に示す記録再生時の位置まで回動することができる。
【００２０】
図６は、本発明装置へのディスク装着途中、つまり本発明装置がディスクローディング動作をしている途中の形態を側面から見た断面図である。
【００２１】
図６は、ディスクホルダ７と、ディスクホルダ７に保持されたディスク５が、図５に示すディスクホルダ回動中心１０を中心として、１１のディスクホルダ回動方向に回動を完了したところであり、この後、ホルダーフレーム１２と、ディスクホルダ７と、ディスクホルダ７に保持されたディスク５が、ホルダーフレーム回動中心１８を中心として、１９に示すホルダーフレーム回動方向に、２０に示す記録再生時の位置まで回動する直前の形態を示している。
【００２２】
図１は、本発明装置の記録再生位置へのディスク装着後、つまり本発明装置がディスクローディングを完了した形態を側面から見た断面図であり、図７は、本発明装置の記録再生位置へのディスク装着後、つまり本発明装置がディスクローディングを完了した形態の正面図であり、図１の矢視方向２２の方向から見た図である。
【００２３】
図１は、ホルダーフレーム１２と、ディスクホルダ７と、ディスクホルダ７に保持されたディスク５が、ホルダーフレーム回動中心１８を中心として、１９に示すホルダーフレーム回動方向に、２０に示す記録再生時の位置まで回動した直後であり、この時本発明装置は記録再生が可能な位置にある。
【００２４】
図１の状態で、スピンドルモータ３とディスクのセンターホール６とが係合し、ディスク５はスピンドルモータ３により回転駆動できる状態にある。
【００２５】
また、ディスクホルダ７の内周面は、ディスク５の外周面より離合しており、ディスクの自由な回転を妨げない。
【００２６】
図７において、ディスクホルダ７の第１の側面８及びホルダーフレーム記録再生側面１３はともに、ドライブ１とディスク記録面と平行な平面において重ならないことで、２３に示すドライブ１とディスクホルダ７及びホルダーフレーム１２の隙間を生じさせることができる。
【００２７】
このドライブ１とディスクホルダ７とホルダーフレーム１２の隙間２３が生じることで、ディスクホルダ７の第１の側面８及びホルダーフレーム記録再生側面１３は、ともにドライブ１とディスク記録面と直交方向において重なることができる。
【００２８】
図１において、２４はドライブ１とディスクホルダ７とホルダーフレーム１２の重複部であり、ディスクホルダ７の第１の側面８及びホルダーフレーム記録再生側面１３はともに、ドライブ１とディスク記録面と直交方向において重なることで、２５のメカニズムの総厚みを縮小することができ、ひいては記録再生装置の全体の厚みを縮小することができる。
【００２９】
これに対して、図８は、従来の実施の形態におけるディスクローディング装置を備えた記録再生装置を側面から見た断面図であり、図９は、従来の実施の形態におけるディスクローディング装置を備えた記録再生装置の正面図であり、図９の矢視方向３２から見た図である。
【００３０】
図９において、２６のディスクホルダ記録再生側面及び２７のホルダーフレーム記録再生側面はともに、ドライブ１とディスク記録面と平行な平面において重なっており、２８のドライブとディスクホルダ及びホルダーフレームの重複部を生じている。
【００３１】
このドライブ１とディスクホルダ７とホルダーフレーム１２の重複部２８が生じることで、ディスクホルダ記録再生側面２６及びホルダーフレーム記録再生側面２７はともに、ドライブ１とディスク記録面と直行方向において重なることができず、隙間が必要となる。
【００３２】
図８において、３０はドライブ１とホルダーフレーム１２の隙間であり、ディスクホルダ記録再生側面２６及びホルダーフレーム記録再生側面２７はともに、ドライブ１とディスク記録面と直交方向において重なることができずドライブとホルダーフレームの隙間３０が必要となり、３１のメカニズムの総厚みを増大させ、ひいては記録再生装置の全体の厚みを増大させる。
【００３３】
このように本発明は、ディスクローディング装置を設けることで、ディスクの傷つきやディスクの読み取り不良を防止し、ディスク着脱の簡便性や確実性を実現するとともに、記録再生装置の薄型化を実現するものである。
【産業上の利用可能性】
【００３４】
本発明は、ディスクを用いた記録再生装置のディスクローディングに関する搬送技術であり、ＤＶＤビデオカメラなどの記録媒体にディスクを用いた電子機器全般の小型軽量化を実現するものである。
【図面の簡単な説明】
【００３５】
【図１】本発明の一実施の形態におけるディスクローディング完了時のディスクローディング装置の断面図
【図２】本発明の一実施の形態におけるディスク装着前のディスクローディング装置の断面図
【図３】本発明の一実施の形態におけるディスク装着前のディスクローディング装置の正面図
【図４】本発明の一実施の形態におけるディスク装着直後のディスクローディング装置の断面図
【図５】本発明の一実施の形態におけるディスク装着直後のディスクローディング装置の正面図
【図６】本発明の一実施の形態におけるディスクローディング動作中のディスクローディング装置の断面図
【図７】本発明の一実施の形態におけるディスクローディング完了時のディスクローディング装置の正面図
【図８】従来のディスクローディング完了時のディスクローディング装置の断面図
【図９】従来のディスクローディング完了時のディスクローディング装置の正面図
【符号の説明】
【００３６】
１    ドライブ
２    光学ピックアップ
３    スピンドルモータ
４    光学ピックアップ駆動モータ
５    ディスク
６    ディスクのセンターホール
７    ディスクホルダ
８    ディスクホルダの記録再生面に近接する第１の側面
９    ディスクホルダの記録再生面と反対面に近接する第２の側面
１０    ディスクホルダ回動中心
１１    ディスクホルダ回動方向
１２    ホルダーフレーム
１３    ホルダーフレーム記録再生側面
１４    ホルダーフレーム記録再生反対側面
１５    ホルダーフレーム結合部
１６    ホルダーフレーム結合部
１７    ホルダーフレーム結合部
１８    ホルダーフレーム回動中心
２６    ディスクホルダ記録再生側面
２７    ホルダーフレーム記録再生側面
【図１】
2008192226.tif 000003
【図２】
2008192226.tif 000004
【図３】
2008192226.tif 000005
【図４】
2008192226.tif 000006
【図５】
2008192226.tif 000007
【図６】
2008192226.tif 000008
【図７】
2008192226.tif 000009
【図８】
2008192226.tif 000010
【図９】
2008192226.tif 000011